(57)【要約】【課題】コストの上昇を招くことなく案内レールの転動体転動溝とスライダ本体の転動体転動溝との間をスライダの内側からシールすることのできる直動案内装置を提供する。【解決手段】インナーシール１２の長さがスライダ本体の長さより短い場合に、複数本のインナーシール１２をインナーシール用連結具１７により連結して、案内レール１の転動体転動溝４とスライダ本体５の転動体転動溝８との間をシールした。【選択図】図７
2008057580.tif 000002
【特許請求の範囲】
【請求項１】
案内レールの長手方向に相対移動するスライダが、前記案内レールの左右側面部に形成された転動体転動溝と対向する複数の転動体転動溝を有するスライダ本体と、前記案内レールの転動体転動溝と前記スライダ本体の転動体転動溝との間を前記スライダの内側からシールするインナーシールとを備えてなる直動案内装置において、
前記インナーシールの長さが前記スライダ本体の長さより短い場合に、複数本のインナーシールをインナーシール用連結具により連結して前記案内レールの転動体転動溝と前記スライダ本体の転動体転動溝との間をシールしたことを特徴とする直動案内装置。
【請求項２】
前記インナーシールは所定の形状にプレス成形された金属板に弾性シール材を加硫接着して形成されていることを特徴とする請求項１記載の直動案内装置。
【請求項３】
前記インナーシール用連結具は、前記インナーシールの上面部に配置される第１の連結板と、前記インナーシールの下面部に配置される第２の連結板とからなることを特徴とする請求項１又は２記載の直動案内装置。
【請求項４】
前記第１の連結板および前記第２の連結板は、前記インナーシールのほぼ半分の長さで矩形状に形成されていることを特徴とする請求項３記載の直動案内装置。
【請求項５】
前記第１の連結板および前記第２の連結板は、前記インナーシールとほぼ同じ幅寸法で矩形状に形成されていることを特徴とする請求項３又は４記載の直動案内装置。
【請求項６】
前記第１の連結板は、前記インナーシールに形成されたインナーシール取付け孔に嵌合する複数の突起部を有することを特徴とする請求項３〜５のいずれか一項記載の直動案内装置。
【請求項７】
前記第２の連結板は、前記突起部に嵌合する複数の貫通孔を有することを特徴とする請求項６記載の直動案内装置。
【請求項８】
前記第１の連結板は、前記インナーシールの長手方向の端部に形成された切欠き部に嵌合する方形状の突出部を有することを特徴とする請求項３〜７のいずれか一項記載の直動案内装置。
【請求項９】
前記第２の連結板は、前記突出部に嵌合する方形状の開口部を有することを特徴とする請求項８記載の直動案内装置。
【請求項１０】
前記インナーシール用連結具は、前記インナーシールのほぼ半分の長さで矩形状に形成された連結板からなることを特徴とする請求項１又は２記載の直動案内装置。
【請求項１１】
前記連結板は、前記インナーシールに形成されたインナーシール取付け孔に嵌合する複数の突起部を有することを特徴とする請求項１０記載の直動案内装置。
【請求項１２】
前記インナーシール用連結具は、前記インナーシールの長手方向一端部と長手方向他端部に形成された突出片に嵌合する溝部を一端部と他端部に有することを特徴とする請求項１又は２記載の直動案内装置。
【発明の詳細な説明】
【技術分野】
【０００１】
本発明は、往復直線運動する物体をその移動方向に案内する直動案内装置に関する。
【背景技術】
【０００２】
工作機械などで使用される直動案内装置は、一般に、直線状に形成された案内レールと、案内レールの長手方向に相対移動するスライダと、スライダ内に転動自在に組み込まれた多数の転動体とからなり、スライダは案内レールの左右側面部に形成された転動体転動溝と対向する複数の転動体転動溝を有するスライダ本体と、このスライダ本体の転動体転動溝と案内レールの転動体転動溝との間を転動した転動体をスライダ本体内に形成された転動体戻し通路に案内する転動体案内路を有する前後一対のエンドキャップとを備えた構成となっている。
【０００３】
このような直動案内装置は、切削粉や塵埃などの粉塵が案内レールの転動体転動溝とスライダ本体の転動体転動溝との間に案内レールの上面部から侵入すると、転動体の転がり運動が阻害されたりする原因となるため、案内レールの転動体転動溝とスライダ本体の転動体転動溝との間をシールする必要がある。
そこで、案内レールの転動体転動溝とスライダ本体の転動体転動溝との間をスライダの内側からシールするシール部材として、所定の形状にプレス成形された金属板にシリコンゴムなどの弾性シール材を加硫接着してなるインナーシールを用いたものが知られている（例えば、特許文献１参照）。
【特許文献１】特開２００４−３６６４３号公報
【発明の開示】
【発明が解決しようとする課題】
【０００４】
しかしながら、転動体の転がり運動による振動を抑制するために、スライダ本体の長さを標準品より２〜３倍程度に長くすると、スライダ本体の長さに対応したインナーシールを新たに製作しなければならないため、コストの上昇を招くおそれがあった。
また、スライダ本体の長さを長くすると、スライダ本体の長さに応じてインナーシールを個別に成形する必要がある。このため、インナーシールの製作に時間がかかる上、小ロット個別金型生産では製品単価が高くなってしまうという問題もあった。
本発明は上述した問題点に着目してなされたものであり、その目的は、コストの上昇を招くことなく案内レールの転動体転動溝とスライダ本体の転動体転動溝との間をスライダの内側からシールすることのできる直動案内装置を提供することにある。
【課題を解決するための手段】
【０００５】
上記の目的を達成するために、請求項１に係る発明は、案内レールの長手方向に相対移動するスライダが、前記案内レールの左右側面部に形成された転動体転動溝と対向する複数の転動体転動溝を有するスライダ本体と、前記案内レールの転動体転動溝と前記スライダ本体の転動体転動溝との間を前記スライダの内側からシールするインナーシールとを備えてなる直動案内装置において、前記インナーシールの長さが前記スライダ本体の長さより短い場合に、複数本のインナーシールをインナーシール用連結具により連結して、前記案内レールの転動体転動溝と前記スライダ本体の転動体転動溝との間をシールしたことを特徴とする。
【０００６】
請求項２に係る発明は、請求項１記載の直動案内装置において、前記インナーシールが所定の形状にプレス成形された金属板に弾性シール材を加硫接着して形成されていることを特徴とする。
請求項３に係る発明は、請求項１又は２記載の直動案内装置において、前記インナーシール用連結具が、前記インナーシールの上面部に配置される第１の連結板と、前記インナーシールの下面部に配置される第２の連結板とからなることを特徴とする。
【０００７】
請求項４に係る発明は、請求項３記載の直動案内装置において、前記第１の連結板および前記第２の連結板が、前記インナーシールのほぼ半分の長さで矩形状に形成されていることを特徴とする。
請求項５に係る発明は、請求項３又は４記載の直動案内装置において、前記第１の連結板および前記第２の連結板が、前記インナーシールとほぼ同じ幅寸法で矩形状に形成されていることを特徴とする。
【０００８】
請求項６に係る発明は、請求項３〜５のいずれか一項記載の直動案内装置において、前記第１の連結板が、前記インナーシールに形成されたインナーシール取付け孔に嵌合する複数の突起部を有することを特徴とする。
請求項７に係る発明は、請求項６記載の直動案内装置において、前記第２の連結板が、前記突起部に嵌合する複数の貫通孔を有することを特徴とする。
【０００９】
請求項８に係る発明は、請求項３〜７のいずれか一項記載の直動案内装置において、前記第１の連結板が、前記インナーシールの長手方向の端部に形成された切欠き部に嵌合する方形状の突出部を有することを特徴とする。
請求項９に係る発明は、請求項８記載の直動案内装置において、前記第２の連結板が、前記突出部に嵌合する方形状の開口部を有することを特徴とする。
請求項１０に係る発明は、請求項１又は２記載の直動案内装置において、前記インナーシール用連結具が、前記インナーシールのほぼ半分の長さで矩形状に形成された連結板からなることを特徴とする。
【００１０】
請求項１１に係る発明は、請求項１０記載の直動案内装置において、前記連結板が、前記インナーシールに形成されたインナーシール取付け孔に嵌合する複数の突起部を有することを特徴とする。
請求項１２に係る発明は、請求項１又は２記載の直動案内装置において、前記インナーシール用連結具が、前記インナーシールの長手方向一端部と長手方向他端部に形成された突出片に嵌合する溝部を一端部と他端部に有することを特徴とする。
【発明の効果】
【００１１】
本発明に係る直動案内装置では、インナーシールの長さがスライダ本体の長さより短い場合にスライダ本体の長さに合わせてインナーシールを新たに製作する必要がないので、コストの上昇を招くことなく案内レールの転動体転動溝とスライダ本体の転動体転動溝との間をスライダの内側からシールすることができる。また、複数本のインナーシールを真っ直ぐに連結できるので、インナーシールの連結部に曲がりが発生することを抑制することができる。
【発明を実施するための最良の形態】
【００１２】
以下、図１〜図１０を参照して本発明の第１の実施形態について説明する。
図１は本発明の第１の実施形態に係る直動案内装置の正面図、図２は同実施形態に係る直動案内装置の平面図であって、第１の実施形態に係る直動案内装置は、直線状に形成された案内レール１と、この案内レール１の長手方向に相対移動するスライダ２と、このスライダ２内に転動自在に組み込まれた多数の転動体３とから構成されている。
【００１３】
案内レール１は合金鋼などの鉄鋼材料を引抜き加工して形成されており、この案内レール１の左右側面部には、転動体転動溝４が案内レール１の長手方向に沿って三条ずつ形成されている。
スライダ２は案内レール１の長手方向に沿う断面がほぼ門形をなすスライダ本体５と、このスライダ本体５の前側端部と後側端面部に複数本の螺子により装着された一対のエンドキャップ６，６と、これらのエンドキャップ６内に複数個ずつ組み込まれたリターンガイド７とを備えており、スライダ本体５には、六本の転動体転動溝８（図３参照）が互いに平行に形成されている。
【００１４】
転動体転動溝８は案内レール１の転動体転動溝４と各々対向しており、案内レール１の転動体転動溝４とスライダ本体５の転動体転動溝８との間には、転動体３を案内レール１の長手方向に転走させるための転動体転走路が形成されている。
転動体３は球形状をなしており、スライダ２の相対的直線運動に伴って転動体転動溝４と転動体転動溝８との間を転動した転動体３は、エンドキャップ６とリターンガイド７との間に形成された転動体方向転換路９に入り、ここで転がり方向を転換した後、案内レール１の長手方向に沿ってスライダ本体５内に形成された転動体戻し通路１０（図３参照）に導入されるようになっている。
【００１５】
スライダ本体５は合金鋼で形成されており、このスライダ本体５の下面中央部と案内レール１の上面部との間には、転動体転動溝４と転動体転動溝８との間をスライダ２の内側からシールするインナーシール１２（図３参照）が設けられている。なお、エンドキャップ６には、転動体転動溝４と転動体転動溝８との間をスライダ２の外側からシールするサイドシール１１（図１参照）が取り付けられている。
【００１６】
インナーシール１２は、図４及び図５に示すように、所定の形状にプレス成形された金属板１３にシリコンゴムなどの弾性シール材を加硫接着して形成されており、複数本の螺子によりスライダ本体５の下面中央部に取り付けられている。また、インナーシール１２は案内レール１の上面部に摺接する左右一対のシールリップ部１４，１４（図５参照）を有しており、これらのシールリップ部１４で転動体転動溝４と転動体転動溝８との間をシールしている。さらに、インナーシール１２はエンドキャップ６に向かって突出する一対の突出片１５，１５を金属板１２の前端部と後端部に有しており、エンドキャップ６には、突出片１５を介してインナーシール１２を支持する支持溝１６（図５参照）が形成されている。
【００１７】
インナーシール１２は、図６及び図７に示すインナーシール用連結具１７により１本のインナーシールとして連結されている。このインナーシール用連結具１７はインナーシール１２の上面部に配置される第１の連結板１８（図７参照）と、インナーシール１２の下面部に配置される第２の連結板１９（図８参照）とからなり、これらの連結板１８，１９はインナーシール１２のほぼ半分の長さで且つインナーシール１２とほぼ同じ幅寸法で矩形状に形成されている。
【００１８】
第１の連結板１８には、インナーシール１２に形成されたインナーシール取付け孔２０（図４及び図７参照）に嵌合する複数の突起部２１（図７及び図９参照）が設けられているとともに、インナーシール１２の長手方向端部に形成された切欠き部２３（図４参照）に嵌合する方形状の突出部２４（（図８及び図１０参照）が設けられている。
一方、第２の連結板１９には、前記した突起部２１に嵌合する複数の貫通孔２２（図８参照）が設けられているとともに、前記した突出部２４に嵌合する方形状の開口部２５（図８参照）が設けられている。
【００１９】
このような構成において、第２の連結板１９の上面部にインナーシール１２を配置し、このインナーシール１２に形成されたインナーシール取付け孔２０と第２の連結板１９に設けられた貫通孔２２とを位置合せした後、第１の連結板１８に設けられた突起部２１をインナーシール取付け孔２０及び貫通孔２２に嵌め入れるとともに、第１の連結板１８に設けられた突出部２４をインナーシール１２の長手方向の端部に形成された切欠き部２３および第２の連結板１９に設けられた開口部２５に嵌め入れると、二本のインナーシール１２が連結された状態となる。
【００２０】
したがって、上述した第１の実施形態では、インナーシール１２の長さがスライダ本体５の長さより短い場合にスライダ本体５の長さに合わせてインナーシール１２を新たに製作する必要がないので、コストの上昇を招くことなく案内レール１の転動体転動溝４とスライダ本体５の転動体転動溝８との間をスライダ本体５の内側からシールすることができる。
また、インナーシール１２の長手方向の端部に形成された切欠き部２３に嵌合する方形状の突出部２４を第１の連結板１８に設けるとともに、突出部２４に嵌合する開口部２５を第２の連結板１９に設けたことで、複数本のインナーシール１２を真っ直ぐに連結することができ、インナーシール１２の連結部分に曲がりが生じることを防止できる。
【００２１】
次に、図１１〜図１３を参照して本発明の第２の実施形態について説明する。
図１１において、符号３０は二本のインナーシール１２を連結するインナーシール用連結具であって、このインナーシール用連結具３０は合成樹脂（ポリアセタール、ポリエチレン等）からなる連結板３１で形成されている。
インナーシール用連結具３０の連結板３１はインナーシール１２とほぼ同じ幅寸法で且つインナーシール１２のほぼ半分の長さで矩形状に形成されており、この連結板３１には、インナーシール１２に形成されたインナーシール取付け孔２０に嵌合する複数の突起部３２（図１２及び図１３参照）が設けられている。
【００２２】
このような構成において、たとえばインナーシール１２の上面部にインナーシール用連結具３０を配置し、インナーシール用連結具３０に設けられた突起部３２をインナーシール１２のインナーシール取付け孔２０に嵌め入れると、二本のインナーシール１２が連結された状態となる。
したがって、上述した第２の実施形態では、インナーシール１２の長さがスライダ本体５の長さより短い場合にスライダ本体５の長さに合わせてインナーシール１２を新たに製作する必要がないので、コストの上昇を招くことなく案内レール１の転動体転動溝４とスライダ本体５の転動体転動溝８との間をスライダ本体５の内側からシールすることができる。
【００２３】
また、インナーシール１２のインナーシール取付け孔２０に嵌合する複数の突起部３２をインナーシール用連結具３０の連結板３１に設けたことで、複数本のインナーシール１２を真っ直ぐに連結することができ、インナーシール１２の連結部に曲がりが発生することを防止することができる。
【００２４】
次に、図１４及び図１５を参照して本発明の第３の実施形態について説明する。
図１４において、符号４０は二本のインナーシール１２を連結するインナーシール用連結具であって、このインナーシール用連結具４０の長手方向の一端部と他端部には、インナーシール１２の突出片１５と嵌合して二つのインナーシール１２を連結する連結用の溝部４１が形成されている。
このような構成において、二つのインナーシール１２のうち一方のインナーシール１２の突出片１５をインナーシール用連結具４０の一端部に設けられた溝部４１に差し込むとともに、他方のインナーシール１２の突出片１５をインナーシール用連結具４０の他端部に設けられた溝部４１に差し込むと、二本のインナーシール１２が連結された状態となる。
【００２５】
したがって、上述した第３の実施形態では、インナーシール１２の長さがスライダ本体５の長さより短い場合にスライダ本体５の長さに合わせてインナーシール１２を新たに製作する必要がないので、コストの上昇を招くことなく案内レール１の転動体転動溝４とスライダ本体５の転動体転動溝８との間をスライダ本体５の内側からシールすることができる。
また、インナーシール１２の突出片１５と嵌合する溝部４１をインナーシール用連結具４０の一端部と他端部に設けたことで、複数本のインナーシール１２を真っ直ぐに連結することができ、インナーシール１２の連結部に曲がりが発生することを防止することができる。
【図面の簡単な説明】
【００２６】
【図１】本発明の第１の実施形態に係る直動案内装置の正面図である。
【図２】本発明の第１の実施形態に係る直動案内装置の平面図である。
【図３】図２のIII−III断面図である。
【図４】図３に示すインナーシールの平面図である。
【図５】図４のV−V断面図である。
【図６】エンドキャップを示す斜視図である。
【図７】第１の実施形態におけるインナーシールとインナーシール用連結具の平面図である。
【図８】図７に示すインナーシールとインナーシール用連結具の底面図である。
【図９】図７のIX−IX断面図である。
【図１０】図７のX−X断面図である。
【図１１】本発明の第２の実施形態におけるインナーシールとインナーシール用連結具の平面図である。
【図１２】図１１に示すインナーシールとインナーシール用連結具の底面図である。
【図１３】図１１のXIII−XIII断面図である。
【図１４】本発明の第３の実施形態におけるインナーシールとインナーシール用連結具の平面図である。
【図１５】図１４に示すインナーシール用連結具の斜視図である。
【符号の説明】
【００２７】
１  案内レール
２  スライダ
３  転動体
４  転動体転動溝
５  スライダ本体
６  エンドキャップ
７  リターンガイド
８  転動体転動溝
９  転動体方向転換路
１０  転動体戻し通路
１１  サイドシール
１２  インナーシール
１３  金属板
１４  シールリップ部
１５  突出片
１７，３０，４０  インナーシール用連結具
１８  第１の連結板
１９  第２の連結板
２０  インナーシール取付け孔
２１，３２  突起部
２２  貫通孔
２３  切欠き部
２４  突出部
２５  開口部
３１  連結板
４１  溝部
【図１】
2008057580.tif 000003
【図２】
2008057580.tif 000004
【図３】
2008057580.tif 000005
【図４】
2008057580.tif 000006
【図５】
2008057580.tif 000007
【図６】
2008057580.tif 000008
【図７】
2008057580.tif 000009
【図８】
2008057580.tif 000010
【図９】
2008057580.tif 000011
【図１０】
2008057580.tif 000012
【図１１】
2008057580.tif 000013
【図１２】
2008057580.tif 000014
【図１３】
2008057580.tif 000015
【図１４】
2008057580.tif 000016
【図１５】
2008057580.tif 000017